(57)【要約】【課題】所定の形状からなる太陽電池モジュールであって、発電スペースに無駄がなく、美観上も優れた太陽電池モジュールを提供する。また、太陽電池モジュールを構成する複数のセルが同一形状からなり、製造コストや製造効率に優れた太陽電池モジュールを提供する。【解決手段】所定の形状からなる太陽電池モジュール１は、複数のセル１０を配設してなる。これらの複数のセルは全て同一の三角形形状からなると共に、所定の位置に配設にされることによって、全体として太陽電池モジュール１と略相似形の形状を構成している。さらに、複数のセル１０は、インターコネクタ１１によって電気的に直列に接続されて、受光による電力が外部に導出される。【選択図】図１
2011114091.tif 000002
【特許請求の範囲】
【請求項１】
複数のセルを配設し、所定の形状からなる太陽電池モジュールであって、
上記複数のセルは全て、同一の三角形形状からなると共に、所定の配列によって、全体として上記太陽電池モジュールと略相似形の形状を構成し、
上記複数のセルは、電気的に直列に接続されている、
ことを特徴とする太陽電池モジュール。
【請求項２】
上記複数のセルは全て、同一の直角三角形形状からなり、
１つの上記セルが構成する直角三角形と、所定の間隔を設けながら、当該直角三角形の直角の向きを互い違いにしつつ斜辺を互いに対して向けることにより２つ一組で構成する四角形とを組み合わせた配列により、上記複数のセルが全体として上記太陽電池モジュールと略相似形を構成する、
請求項１記載の太陽電池モジュール。
【請求項３】
上記太陽電池モジュールは二等辺三角形形状からなり、
上記複数のセルは全て、同一の三角形形状からなると共に、所定の配列によって、全体として上記太陽電池モジュールと略相似形の三角形形状を構成する、
請求項２記載の太陽電池モジュール。
【請求項４】
上記太陽電池モジュールは、四角形形状又は正ｎ角形形状（ｎは５以上）からなり、
上記四角形又は正ｎ角形の重心と各頂点とを直線的に結ぶ線分によって仮想的な二等辺三角形領域が形成され、
１つの上記セルが構成する直角三角形と、所定の間隔を設けながら、当該直角三角形の直角の向きを互い違いにしつつ斜辺を互いに対して向けることにより２つ一組で構成する四角形とを組み合わせた配列により、上記仮想的な二等辺三角形毎に一群のセルが全体として当該仮想的な二等辺三角形と略相似形を構成して、上記複数のセルが全体として上記太陽電池モジュールと略相似形を構成する、
請求項２記載の太陽電池モジュール。
【請求項５】
上記複数のセルのうち、上記太陽電池モジュールが形成する二等辺三角形ないしは仮想的な二等辺三角形の相等しい一組の辺のうちの一辺に最も近い位置に配設された一群のセルについて、当該一群のセルの斜辺の中点を仮想的に結んだ直線と、上記太陽電池モジュールの一の斜辺とが、平行又は略平行である、
請求項３又は４記載の太陽電池モジュール。
【請求項６】
上記セルは、上記太陽電池モジュールが形成する二等辺三角形ないしは仮想的な二等辺三角形の頂角の向きと直交する向きにおいて、上記太陽電池モジュールが形成する二等辺三角形ないしは仮想的な二等辺三角形の頂角方向に頂角を向けて配設されているセルと、上記太陽電池モジュールが形成する二等辺三角形ないしは仮想的な二等辺三角形の底辺方向に頂角を向けて配設されているセルとが、互いに対して、上記太陽電池モジュールが形成する二等辺三角形ないしは仮想的な二等辺三角形の底辺方向ないしは頂角方向に所定の距離だけずらして配設されており、
上記太陽電池モジュールが形成する二等辺三角形ないしは仮想的な二等辺三角形と頂角の向きを同じくするセルの斜辺が、上記太陽電池モジュールが形成する二等辺三角形ないしは仮想的な二等辺三角形の斜辺と平行又は略平行であると共に、上記太陽電池モジュールが形成する二等辺三角形ないしは仮想的な二等辺三角形の一の斜辺に最も近い位置に配設された一群のセルの斜辺が、全て同一線上に並ぶ、
請求項３又は４記載の太陽電池モジュール。
【請求項７】
上記太陽電池モジュールが四角形形状からなり、
上記セルは直角三角形形状からなり、所定の間隔を設けながら、当該直角三角形の直角の向きを互いに違いにしつつ斜辺を互いに対して向けることにより、２つ一組で四角形形状を構成すると共に、上記太陽電池モジュールの各辺に沿って縦横に配列されている、
請求項１記載の太陽電池モジュール。
【請求項８】
上記セルは、単結晶又は多結晶のシリコンにより構成される、
請求項１乃至７いずれかの項に記載の太陽電池モジュール。
【発明の詳細な説明】
【技術分野】
【０００１】
本発明は、多角形形状からなる太陽電池モジュールに関する。
【背景技術】
【０００２】
昨今の環境問題などから、クリーンなエネルギーの開発が望まれており、特に太陽電池を用いた太陽光発電システムは、その開発や実用化が著しい分野である。
様々な用途に利用される太陽電池であるが、家屋の屋根等に取り付けられる場合には、屋根等の形状に合わせて長方形や三角形、あるいは台形といった様々な形状のものについて需要がある。
【０００３】
ところで、太陽電池モジュールを構成する単位セル当たりの出力電圧は０．５〜１．２Ｖ程度であるのに対し、太陽電池モジュールからパワーコンディショナーへの入力電圧は、数１０〜数１００Ｖに昇圧する必要があった。
そのため、単位セルを複数直列接続することにより昇圧を図っているが、太陽電池モジュールにおいて発生する電流は、各単位セルの発電面積に比例するため、各単位セルには等しい電流を流す必要があり、その結果、各単位セルの面積を等しくする必要があった。
【０００４】
しかしながら、多角形形状の太陽電池モジュールの場合、発電に寄与しない領域が多くできてしまったり、単位セル同士の面積を等しく保つことが難しかったりする。また、その外観においても、まとまりが悪く、美観を損なっていた。
【０００５】
以上のような問題に鑑み、特許文献１では、複数個の太陽電池単位セルを直列接続してなる太陽電池モジュールにおいて、該太陽電池単位セルは任意の直角三角形をユニットとしてその２ユニットあるいは４ユニットを組み合わせてなる一つの三角形あるいは四辺形の形状をなし、かつ該太陽電池モジュールの形状が該単位とした直角三角形と相似形である直角三角形型太陽電池モジュールが提案されている。
また、特許文献２では、複数個の太陽電池セルを備え、平面形状が略直角三角形である太陽電池モジュールであって、前記複数個の太陽電池セルのうち、少なくとも一つの太陽電池セルが他の太陽電池セルと異なる平面形状を持ち、前記複数個の太陽電池セルは、互いに略同一の面積に形成されている太陽電池モジュールが提案されている。
【先行技術文献】
【特許文献】
【０００６】
【特許文献１】特開平１０−６５１９８号公報
【特許文献２】特開２００１−２０３３８０号公報
【発明の概要】
【発明が解決しようとする課題】
【０００７】
しかしながら、特許文献１記載の直角三角形型太陽電池モジュールでは、セル同士の接続が、端部に塗布された導電性の接着剤を介して行われるため、その接続工程が複雑になる。また、直角三角形型太陽電池モジュールの形状に合わせて、セルを組み合わせてなる三角形や四辺形のセルを作成する必要があり、製造に手間やコストがかかるという問題がある。
また、特許文献２記載の太陽電池モジュールでは、太陽電池モジュールを構成する複数の太陽電池セルが、全て同一の形状からなるわけではないので、複数種類の形状の太陽電池セルを用意しなければならず、製造効率が悪い。
【０００８】
そこで、本発明は、多角形形状の太陽電池モジュールであって、発電スペースに無駄がなく、美観上も優れた太陽電池モジュールを提供する。
また同時に、太陽電池モジュールを構成する複数のセルが同一形状からなり、製造コストや製造効率に優れた太陽電池モジュールを提供することを目的とする。
【課題を解決するための手段】
【０００９】
上記目的を達成するため、本発明に係る太陽電池モジュールは、複数のセルを配設し、所定の形状からなる太陽電池モジュールであって、上記複数のセルは全て、同一の三角形形状からなると共に、所定の配列によって、全体として上記太陽電池モジュールと略相似形の形状を構成し、上記複数のセルは、電気的に直列に接続されていることを特徴とする。
【００１０】
また、上記複数のセルは全て、同一の直角三角形形状からなり、１つの上記セルが構成する直角三角形と、所定の間隔を設けながら、当該直角三角形の直角の向きを互い違いにしつつ斜辺を互いに対して向けることにより２つ一組で構成する四角形とを組み合わせた配列により、上記複数のセルが全体として上記太陽電池モジュールと略相似形を構成するものとしてもよい。
【００１１】
また、上記太陽電池モジュールは二等辺三角形形状からなり、上記複数のセルは全て、同一の三角形形状からなると共に、所定の配列によって、全体として上記太陽電池モジュールと略相似形の三角形形状を構成するものとしてもよい。
【００１２】
また、上記太陽電池モジュールは、四角形形状又は正ｎ角形形状（ｎは５以上）からなり、上記四角形又は正ｎ角形の重心と各頂点とを直線的に結ぶ線分によって仮想的な二等辺三角形領域が形成され、１つの上記セルが構成する直角三角形と、所定の間隔を設けながら、当該直角三角形の直角の向きを互い違いにしつつ斜辺を互いに対して向けることにより２つ一組で構成する四角形とを組み合わせた配列により、上記仮想的な二等辺三角形毎に一群のセルが全体として当該仮想的な二等辺三角形と略相似形を構成して、上記複数のセルが全体として上記太陽電池モジュールと略相似形を構成するものとしてもよい。
【００１３】
また、上記複数のセルのうち、上記太陽電池モジュールが形成する二等辺三角形ないしは仮想的な二等辺三角形の相等しい一組の辺のうちの一辺に最も近い位置に配設された一群のセルについて、当該一群のセルの斜辺の中点を仮想的に結んだ直線と、上記太陽電池モジュールの一の斜辺とが、平行又は略平行であるものとしてもよい。
【００１４】
また、上記セルは、上記太陽電池モジュールが形成する二等辺三角形ないしは仮想的な二等辺三角形の頂角の向きと直交する向きにおいて、上記太陽電池モジュールが形成する二等辺三角形ないしは仮想的な二等辺三角形の頂角方向に頂角を向けて配設されているセルと、上記太陽電池モジュールが形成する二等辺三角形ないしは仮想的な二等辺三角形の底辺方向に頂角を向けて配設されているセルとが、互いに対して、上記太陽電池モジュールが形成する二等辺三角形ないしは仮想的な二等辺三角形の底辺方向ないしは頂角方向に所定の距離だけずらして配設されており、上記太陽電池モジュールが形成する二等辺三角形ないしは仮想的な二等辺三角形と頂角の向きを同じくするセルの斜辺が、上記太陽電池モジュールが形成する二等辺三角形ないしは仮想的な二等辺三角形の斜辺と平行又は略平行であると共に、上記太陽電池モジュールが形成する二等辺三角形ないしは仮想的な二等辺三角形の一の斜辺に最も近い位置に配設された一群のセルの斜辺が、全て同一線上に並ぶものとしてもよい。
【００１５】
また、上記太陽電池モジュールが四角形形状からなり、上記セルは直角三角形形状からなり、所定の間隔を設けながら、当該直角三角形の直角の向きを互いに違いにしつつ斜辺を互いに対して向けることにより、２つ一組で四角形形状を構成すると共に、上記太陽電池モジュールの各辺に沿って縦横に配列されているものとしてもよい。
【００１６】
また、上記セルは、単結晶又は多結晶のシリコンにより構成されるものとしてもよい。
【発明の効果】
【００１７】
本発明によれば、多角形形状の太陽電池モジュールでありながら、発電スペースに無駄がなく、美観上も優れた太陽電池モジュールを提供することができる。
また同時に、太陽電池モジュールを構成する複数のセルが同一形状からなるため、製造コストや製造効率に優れる。
【図面の簡単な説明】
【００１８】
【図１】本発明の第一の実施形態に係る太陽電池モジュールの平面図である。
【図２】本実施形態に係る太陽電池モジュールの別の態様を示す平面図である。
【図３】本実施形態に係る太陽電池モジュールを構成するセルの形状を、作成の観点から説明する模式図である。
【図４】本実施形態に係る太陽電池モジュールの構造を示すＡ−Ａ’断面図である。
【図５】本実施形態に係る太陽電池モジュールの形状を説明する図である。
【図６】本発明の第二の実施形態に係る太陽電池モジュールの平面図である。
【図７】本実施形態に係る太陽電池モジュールの形状を示す図であって、図６におけるＢ部分の拡大図である。
【図８】本発明の第三の実施形態に係る太陽電池モジュールの平面図である。
【図９】本発明の第四の実施形態に係る太陽電池モジュールの平面図である。
【図１０】本発明のその他の実施形態に係る太陽電池モジュールを説明する図であり、（ａ）は六角形形状、（ｂ）は七角形形状、（ｃ）は八角形形状、（ｄ）は四角形形状を示す。
【発明を実施するための形態】
【実施例１】
【００１９】
図１に示されるように、二等辺三角形形状からなる第一実施形態の太陽電池モジュール１は、上下方向および左右方向に配列された複数枚のセル１０を備えている。そして、各セル１０を電気的に直列に接続するインターコネクタ１１を介して、受光によって発生した電力を外部負荷へ供給することができる。
【００２０】
この二等辺三角形形状からなる太陽電池モジュール１の寸法の一例は、頂角から対辺へ降ろした垂線の長さ、即ち高さが１３６６ｍｍであり、頂角の対辺、即ち底辺の長さが１４５８ｍｍである。
【００２１】
セル１０は、太陽光を受光して発電する発電素子であり、本例では汎用の単結晶若しくは多結晶のシリコンで構成されている。
【００２２】
このセル１０は直角三角形形状からなり、その寸法の一例は、直角の隣辺のうちの一辺を構成する短辺が７８ｍｍであり、他の一辺を構成する長辺が１５６ｍｍである。
【００２３】
ここでセル１０は、所定の間隔を設けながら、直角三角形の直角の向きを互い違いにしつつ斜辺を互いに対して向けることにより２つ一組で構成する四角形を構成することができる。
そして、当該２つ一組で四角形を構成する一対のセル１０と、単体で直角三角形形状を構成するセル１０との組み合わせにより、太陽電池モジュール１の頂角から底辺方向に広がるようにして、セル１０が複数段配設されており、セル１０は全体として略二等辺三角形形状を構成している。
【００２４】
即ち図１の例では、図示最上段において、一組のセル１０が直角の隣辺のうちの長辺を向き合わせつつ、それぞれのセル１０の斜辺と、この斜辺に最も近い太陽電池モジュール１の斜辺とが略平行となるように配設されている。
また、図示上から二段目においては、セル１０が２つ一組で構成する四角形が２つ分中央寄りに配設されている。そしてその両隣には、単一のセル１０が、直角の隣辺のうちの長辺を当該四角形に隣り合わせつつ、それぞれのセル１０の斜辺と、この斜辺に最も近い太陽電池モジュール１の斜辺とが略平行となるように配設されている。
三段目以降もこのようにセル１０が配設され、セル１０が全体として略二等辺三角形形状を構成している。
【００２５】
なお、図１の場合のようなセル１０の配列は違う角度から見ると、セル１０が所定の間隔を設けながら、直角の隣辺のうちの長辺を互いに対して向けることにより２つ一組で略二等辺三角形形状を構成しつつ、太陽電池モジュール１の頂角の向きと直交する向き（図示横一列）に、当該略二等辺三角形の頂角の向きを互い違いにして配設され、さらに太陽電池モジュール１の頂角から底辺方向に広がるようにして複数段配設されているということができる。
【００２６】
また、図１の例では、セル１０が２つ一組で構成する四角形は、図示中、左右に配設されるセル１０の向き、即ち対面させている斜辺を右上がり（左下がり）とするか、若しくは右下がり（左上がり）とするかによって、二種類となっている。
しかしながら、本発明の実施にあってはこれに限らず、図２に示す太陽電池モジュール１Ａにように、セル１０が２つ一組で構成する四角形全てにおいて、セル１０の配設の向きを揃えるものとしてもよい。
【００２７】
以上のように配設されたセル１０と太陽電池モジュール１の周縁部との間には、各セル１０を接続するインターコネクタ１１を配線するための配線領域が設けられている。
そしてセル１０は全て、インターコネクタ１１によって電気的に直列に接続されており、このインターコネクタ１１は導出孔１２から裏面側へ導出されている。導出孔１２から導出されたインターコネクタ１１は、パワーコンディショナー等に接続され、太陽電池モジュール１において発生した電力が負荷に供給される。
【００２８】
なお、本例におけるインターコネクタ１１は、１つのセル１０の表裏面夫々に対して各２本接続されて集電効率を上げているが、これに限らず、１つのセル１０の表裏面夫々に対して１本、あるいは３本以上接続させることもできる。
また、集電構造は、櫛型の金属基板を用いたグリッド電極構造としてもよい。
【００２９】
ここで、セル１０の形状について、作成の観点から説明する。
直角三角形形状のセル１０は、一般的に生産されている長方形形状のセルを分割して作成することができる。
例えば、図３（ａ）に示されるように、セル１０の斜辺と同じ長さの対角線を備える長方形形状のセル１０１が用意される場合には、このセル１０１を対角線に沿って分割することで２つの合同な直角三角形形状からなるセル１０を作成することができる。
【００３０】
また、図３（ｂ）に示されるように、セル１０１の長辺を重ね合わせたサイズの長方形形状からなるセル１０２が用意される場合には、まず、このセル１０２の２つの長辺の中点同士を結ぶ線分に沿ってセル１０２を分割する。そして、当該分割されたセルを夫々対角線に沿って分割することで、４つの合同な直角三角形形状からなるセル１０を作成することができる。
【００３１】
次に、太陽電池モジュール１の構造について、図４を参照して説明する。
図４は、図１に示される太陽電池モジュール１のＡ−Ａ’断面を示している。
インターコネクタ１１は、セル１０の表裏面夫々に形成された正又は負の電極に交互に接続されて、一群のセルストリング１０ａを形成している。
【００３２】
隣り合うセル１０の間には、所定の間隔が設けられており、この間隔によって一のセル１０の表面ないし裏面から、隣り合うセル１０の裏面ないし表面へインターコネクタ１１が掛け渡されている。
【００３３】
このセルストリング１０ａは、板状に成形された封止材１３中に封止されている。そして、封止材１３の受光面側、すなわちセル１０の受光面に対面する側には、板状の表面保護部材１４が接合され、反対側の封止材１３の裏面側には、裏面保護シート１５が接合されている。
【００３４】
封止材１３は、セルストリング１０ａを挟んでその両面側に配置された薄板状の適宜の合成樹脂板に所定の温度（例えば１３５度）で所定の時間（例えば２０分）加圧することで、セルストリング１０ａを封止した板状に成形されており、その厚みは例えば１．２ｍｍ前後となっている。
【００３５】
この封止材１３用の合成樹脂材としては、透光性があって接着強度が高く、しかも耐熱性に優れた合成樹脂材、例えばエチレン−酢酸ビニル共重合樹脂（ＥＶＡ）が使用されているが、透明度の高いポリビニルブチロール（ＰＶＢ）を使用してもよい。
【００３６】
表面保護部材１４は、セル１０の表面を長期にわたり保護するものであり、透光性を有する適宜の合成樹脂材を、射出成形により二等辺三角形の板状に成形したものである。
【００３７】
この表面保護部材１４用の合成樹脂材としては、透光性、耐熱性、耐衝撃性に優れ、しかも成形性のよい合成樹脂材、例えばポリカーボネート（ＰＣ）またはアクリル樹脂が使用されているが、ポリエチレンテレフタレート（ＰＥＴ）、エチレン・４フッ化共重合樹脂（ＥＴＦＥ）、ＡＢＳ樹脂などを使用してもよい。
【００３８】
なお、表面保護部材１４用の合成樹脂材としては、ポリブチレンテレフタレート、ポリ酢酸ビニル、ポリフッ化ビニル、ポリエチレンナフタレート、ポリアクリロニトリル、不飽和ポリエステル樹脂、エポキシ樹脂、ポリアリレート、ポリエーテルイミド、ポリイミド、ポリウレタン、ブチラール樹脂、ポリエーテルスルフォンなども使用可能である。
【００３９】
裏面保護シート１５は、外気や風雨に曝されるセル１０の裏面を長期間にわたって保護するものであり、耐候性、耐湿性、耐熱性に優れた合成樹脂材、例えば、ポリビニルフルオライド（ＰＶＦ）により構成されている。
【００４０】
続いて、以上のように構成される太陽電池モジュール１の形状について、図５を参照してさらに詳述する。
図５において、仮想直線Ｌ１１ａ、Ｌ１１ｂは、太陽電池モジュール１上に配設された複数のセル１０が全体として形成する略二等辺三角形において、相等しい一組の辺のうちの一辺を形成する一群のセル１０の斜辺の中点Ｍ１ないしＭ２を仮想的に結ぶ直線（あるいは、太陽電池モジュール１に配設されているセル１０のうち、太陽電池モジュール１が形成する二等辺三角形の相等しい一組の斜辺のうちの一辺に最も近い位置に配設された一群のセル１０の斜辺の中点Ｍ１ないしＭ２を仮想的に結ぶ直線）である。
【００４１】
また、仮想直線Ｌ１１ｃは、太陽電池モジュール１上に配設された複数のセル１０が全体として形成する略二等辺三角形において、底辺を形成する一群のセル１０の底辺を仮想的に結ぶ直線である。
【００４２】
以上の仮想直線Ｌ１１ａ、Ｌ１１ｂ、Ｌ１１ｃと太陽電池モジュール１の形状との関係において、仮想直線Ｌ１１ａと太陽電池モジュール１の斜辺Ｌ１２ａとは、平行若しくは略平行な関係にある。
また同様に、仮想直線Ｌ１１ｂと太陽電池モジュール１の斜辺Ｌ１２ｂも、平行若しくは略平行な関係にある。さらに、仮想直線Ｌ１１ｃと、太陽電池モジュール１の底辺Ｌ１２ｃも、平行若しくは略平行な関係にある。
【００４３】
以上のような関係のもと、仮想直線Ｌ１１ａ、Ｌ１１ｂ、Ｌ１１ｃが交差して形成する二等辺三角形は、太陽電池モジュール１が形成する二等辺三角形と相似ないしは略相似の関係を構成する。
【００４４】
これにより太陽電池モジュール１は、無駄なくセル１０を敷き詰めることができるため、発電スペースに無駄がなく、太陽電池モジュール１一枚当たりの発電量を大きくすることができる。
また、太陽電池モジュールを構成する複数のセルが同一形状からなるため、製造コストや製造効率に優れ、美観上もまとまりのよい優れた外観を呈する。
【実施例２】
【００４５】
続いて、本発明の第二の実施形態について、図６を参照して説明する。
本実施形態に係る太陽電池モジュール２は、第一の実施形態におけるセル１０と同一形状からなるセル２０を有しているが、その配列において第一の実施形態とは異なる。
【００４６】
なお、第一の実施形態と同様に、セル２０同士の間には所定の間隔が設けられると共に、全てのセル２０はインターコネクタ２１によって電気的に直列に接続されている。また、インターコネクタ２１は全てのセル２０を接続して導出孔２２より裏面に導出されている。
【００４７】
図７に、太陽電池モジュール２の部分拡大図（図６におけるＢ部分）を示す。
図７に示されるように、セル２０が太陽電池モジュール２の頂角の向きと直行する向き（図示横一列）に配設された箇所において、太陽電池モジュール２の底辺の向き（図示下向き）に頂角を向けて配設されているセル２０と、太陽電池モジュール２の頂角の向き（図示上向き）に頂角を向けて配設されているセル２０とは、互いに対して、距離ｙだけ上下にずらして配設されている。
【００４８】
このようにセル２０が配設されていることで、太陽電池モジュール２に配設されているセル２０のうち、太陽電池モジュール２が形成する二等辺三角形の相等しい一組の斜辺のうちの一辺に最も近い位置に配設された一群のセル２０の斜辺が、全て同一線上に並ぶと共に、太陽電池モジュール２の斜辺と平行な関係になる。
即ち、太陽電池モジュール２上に配設された複数のセル２０が全体として形成する二等辺三角形において、相等しい一組の辺のうちの一辺を形成する一群のセル２０の斜辺を仮想的に結ぶ直線（あるいは、太陽電池モジュール２に配設されているセル２０のうち、太陽電池モジュール２が形成する二等辺三角形の相等しい一組の辺のうちの一辺に最も近い位置に配設された一群のセル２０の斜辺を仮想的に結ぶ直線）である仮想直線Ｌ２１ａ、Ｌ２１ｂを夫々、太陽電池モジュール２の斜辺Ｌ２２ａ、Ｌ２２ｂと平行にすることができる。
【００４９】
これにより、太陽電池モジュール２上に配設された複数のセル２０が全体として形成する二等辺三角形形状と、太陽電池モジュール２が形成する二等辺三角形形状とを相似な関係にすることができ、優れた意匠性を発揮する。
【００５０】
なお、以上の第一、及び第二の実施形態においては、太陽電池モジュール１、２は二等辺三角形形状からなるものとしているが、これらの実施形態においては三辺のいずれか２辺が等しければよく、正三角形形状からなるものとしてもよい。
【実施例３】
【００５１】
続いて、本発明の第三の実施形態について、図８を参照して説明する。
本実施形態に係る太陽電池モジュール３は、四角形形状からなる。
本実施形態におけるセル３０は、第一の実施形態と同様に直角三角形形状からなる。
【００５２】
なお、セル３０は第一の実施形態と同様に、太陽電池モジュール３において、インターコネクタ３１によって電気的に直列に接続されている。また、インターコネクタ３１は全てのセル３０を直列に接続して導出孔３２より裏面に導出されている。
【００５３】
本実施形態においてセル３０は２つ一組で、所定の間隔を設けながら、直角三角形の直角の向きを互い違いにしつつ、斜辺を向き合わせて四角形を構成する。そして、当該四角形を太陽電池モジュール３上に縦横に敷き詰めるように配設させている。
【００５４】
これにより、四角形形状の太陽電池モジュール３が、一群のセル３０と相似関係になり、まとまりのよい優れた外観を呈する。
また、第一の実施形態と同様に、太陽電池モジュール３上にはセル３０が無駄なく敷き詰められ、発電スペースに無駄がなく、太陽電池モジュール３一枚当たりの発電量を大きくすることができる。さらに、太陽電池モジュール３を構成する複数のセルが同一形状からなるため、製造コストや製造効率に優れる。
【実施例４】
【００５５】
続いて、本発明の第四の実施形態について、図９を参照して説明する。
本実施形態に係る太陽電池モジュール４は、正五角形形状からなる。
本実施形態におけるセル４０は、第一の実施形態と同様に直角三角形形状からなる。
【００５６】
なお、セル４０は第一の実施形態と同様に、太陽電池モジュール４において、インターコネクタ４１によって電気的に直列に接続されている。また、インターコネクタ４１は全てのセル４０を直列に接続して導出孔４２より裏面に導出されている。
【００５７】
本実施形態に係る太陽電池モジュール４においては、太陽電池モジュール４の重心４ａと各頂点とを直線的に結ぶ線分（図示中の一点鎖線）により、同一の二等辺三角形形状からなる５つの仮想三角形４００が形成され、この仮想三角形４００ごとに、セル４０が第一又は第二の実施形態と同様に配設されている（なお、図９は第一の実施形態と同様の配列によってセル４０を配設した例である）。即ち、１つのセル４０が構成する直角三角形と、所定の間隔を設けながら、当該直角三角形の直角の向きを互い違いにしつつ斜辺を互いに対して向けることにより２つ一組のセル４０が構成する四角形との組み合わせにより、配設されている。
【００５８】
これにより、正五角形形状の太陽電池モジュール４についても、一群のセル４０と太陽電池モジュール４とが相似ないし略相似の関係になり、まとまりのよい優れた外観を呈する。
また、太陽電池モジュール４上にはセル４０が無駄なく敷き詰められて発電スペースに無駄がないし、全てのセル４０が同一形状からなるため、製造コストや製造効率に優れる。
【００５９】
最後に、本発明のその他の実施形態について、図１０を参照して説明する。
図１０（ａ）は正六角形形状の太陽電池モジュール５を、（ｂ）は正七角形形状の太陽電池モジュール６を、（ｃ）は正八角形形状の太陽電池モジュール７を示している。なお、説明の便宜のため、セルやインターコネクタについては図示を省略しているが、セルは直角三角形形状からなり、インターコネクタによって電気的に直列に接続されている。
【００６０】
それぞれの太陽電池モジュール５、６、７は、重心５ａ、６ａ、７ａと各頂点とを直線的に結ぶ線分により、それぞれ同一の二等辺三角形形状からなる６つの仮想三角形５００、７つの仮想三角形６００、８つの仮想三角形７００を形成する。
そして、各仮想三角形５００、６００、７００には、第一又は第二の実施形態と同様にして、１つのセルが構成する直角三角形と、所定の間隔を設けながら、当該直角三角形の直角の向きを互い違いにしつつ斜辺を互いに対して向けることにより２つ一組のセルが構成する四角形との組み合わせにより、セルが敷き詰めて配設されている。
【００６１】
ここで、既述した第三の実施形態に係る四角形形状の太陽電池モジュールについても、このような配列でもってセルを配設することが可能である。
即ち、図１０（ｄ）に示すように、四角形形状の太陽電池モジュール８において、重心８ａと各頂点とを直線的に結ぶ線分により、４つの仮想三角形８００が形成される。そして、この４つの仮想三角形８００ごとに、第一又は第二の実施形態と同様にして、１つのセルと、２つ一組としたセルとを組み合わせて配設することで、太陽電池モジュール８に同一形状のセルを敷き詰めることができる。
【００６２】
以上の通り、四角形形状ないしは正ｎ角形形状（ｎは５以上）からなる太陽電池モジュールにおいては、当該太陽電池モジュールの重心と各頂点とを結ぶ線分により形成されるｎ個の同一形状からなる仮想的な三角形の領域ごとに、セルが敷き詰めて配設させることができ、これにより全体としてセルを敷き詰めることができる。その配設は、１つのセルが構成する直角三角形と、所定の間隔を設けながら、当該直角三角形の直角の向きを互い違いにしつつ斜辺を互いに対して向けることにより２つ一組で構成する四角形との組み合わせからなっている。
【００６３】
また、直角三角形形状のセルの作成においては、太陽電池モジュール自体の三角形形状、ないしは多角形中に仮想的に形成される三角形形状に合わせて、その形状が決定される。即ち、２つ一組のセルが、直角の隣辺の長辺を向かい合わせにしつつ直角の向きを同じくすることにより形成される三角形が、上記太陽電池モジュールの三角形形状、ないしは多角形中に仮想的に形成される三角形形状と相似ないしは略相似形となるように、直角以外の頂角の角度が決定される。これにより、一群のセル既述したように形成する三角形が、太陽電池モジュールの三角形形状等と相似ないしは略相似となる。
【符号の説明】
【００６４】
１、１Ａ、２、３、４、５、６、７、８    太陽電池モジュール
１０１、１０２    セル
１０、２０、３０、４０    セル
１０ａ    セルストリング
１１、２１、３１、４１    インターコネクタ
１２、２２、３２、４２    導出孔
１３    封止材
１４    表面保護部材
１５    裏面保護シート
５ａ、６ａ、７ａ、８ａ    重心
５００、６００、７００、８００    仮想三角形
Ｌ１１ａ、Ｌ１１ｂ、Ｌ１１ｃ、Ｌ３１ａ、Ｌ３１ｂ    仮想直線
Ｌ１２ａ、Ｌ１２ｂ、Ｌ３２ａ、Ｌ３２ｂ    斜辺
Ｌ１２ｃ    底辺
Ｍ１    中点
Ｍ２    中点
【図１】
2011114091.tif 000003
【図２】
2011114091.tif 000004
【図３】
2011114091.tif 000005
【図４】
2011114091.tif 000006
【図５】
2011114091.tif 000007
【図６】
2011114091.tif 000008
【図７】
2011114091.tif 000009
【図８】
2011114091.tif 000010
【図９】
2011114091.tif 000011
【図１０】
2011114091.tif 000012